(57)【特許請求の範囲】
【請求項１】
インテリジェントネットワークサービスに伴う呼制御処理を行う複数の交換機と、前記サービスに応じた制御を実行する複数のコンピュータと、前記交換機と前記コンピュータとから送信される信号を中継する中継局と、を有して構成される輻輳制御システムであって、
前記交換機は、
第１アクセス信号を前記中継局に送信するアクセス信号送信手段を有し、
前記中継局は、
前記交換機から受信した第１アクセス信号に含まれるグローバルタイトルをＳＣＣＰプロトコルで翻訳し、転送先となる前記コンピュータを決定し、該決定したコンピュータに第１アクセス信号を転送する信号転送先決定手段と、
前記信号転送先決定手段により第１アクセス信号を転送した前記コンピュータから、該コンピュータの迂回先となるコンピュータと、前記迂回先となるコンピュータへの迂回率と、を前記第１アクセス信号に含まれるグローバルタイトルと共に受信し、該受信した前記迂回先となるコンピュータと、前記迂回先となるコンピュータへの迂回率と、を前記グローバルタイトルと共に格納する迂回情報格納手段と、
前記交換機から受信した第１アクセス信号に含まれるグローバルタイトルをＳＣＣＰプロトコルで翻訳し、転送先となるコンピュータを決定する度に、前記翻訳したグローバルタイトルが、前記迂回情報格納手段に格納されているグローバルタイトルである場合には、前記決定した転送先となるコンピュータ、または、該グローバルタイトルと共に前記迂回情報格納手段に格納された前記迂回先となるコンピュータに対し、該コンピュータへの迂回率に沿って第１アクセス信号を転送する信号迂回手段と、
前記信号迂回手段により転送する前記迂回先となるコンピュータへの第１アクセス信号の迂回の解除要求を、前記信号転送先決定手段により第１アクセス信号を転送した前記コンピュータから受信した際に、前記信号迂回手段による第１アクセス信号の転送を行わず、前記信号転送先決定手段による第１アクセス信号の転送を行う迂回解除実行手段と、
を有し、
前記複数のコンピュータは、
前記中継局から第１アクセス信号を受信した際に、前記コンピュータ自身が輻輳状態である場合に、前記中継局に対して、迂回先となるコンピュータと、前記迂回先となるコンピュータへの迂回率と、を前記第１アクセス信号に含まれるグローバルタイトルと共に送信し、第１アクセス信号の迂回の要求を行う迂回指示手段と、
前記コンピュータ自身の輻輳状態が収束した場合に、前記中継局に対して、前記迂回先となるコンピュータへの第１アクセス信号の迂回の解除要求を送信する迂回解除指示手段と、
を有することを特徴とする輻輳制御システム。
【請求項２】
インテリジェントネットワークサービスに伴う呼制御処理を行う複数の交換機と、前記サービスに応じた制御を実行する複数のコンピュータと、前記交換機と前記コンピュータとから送信される信号を中継する中継局と、を用いて行う輻輳制御方法であって、
前記交換機が第１アクセス信号を前記中継局に送信するアクセス信号送信工程と、
前記中継局が前記交換機から受信した第１アクセス信号に含まれるグローバルタイトルをＳＣＣＰプロトコルで翻訳し、転送先となるコンピュータを決定し、該決定したコンピュータに第１アクセス信号を転送する信号転送先決定工程と、
前記コンピュータが、前記中継局から第１アクセス信号を受信した際に、前記コンピュータ自身が輻輳状態である場合に、前記中継局に対して、迂回先となるコンピュータと、前記迂回先となるコンピュータへの迂回率と、を前記第１アクセス信号に含まれるグローバルタイトルと共に送信し、第１アクセス信号の迂回の要求を行う迂回指示工程と、
前記中継局が、前記第１アクセス信号を転送した前記コンピュータから、迂回先となるコンピュータと、前記迂回先となるコンピュータへの迂回率と、を前記第１アクセス信号に含まれるグローバルタイトルと共に受信し、該受信した迂回先となるコンピュータと、前記迂回先となるコンピュータへの迂回率と、を前記グローバルタイトルと共に、前記中継局の具備する格納部に格納する迂回情報格納工程と、
前記中継局が、前記交換機から受信した第１アクセス信号に含まれるグローバルタイトルをＳＣＣＰプロトコルで翻訳し、転送先となるコンピュータを決定する度に、前記翻訳したグローバルタイトルが、前記中継局の具備する格納部に格納されているグローバルタイトルである場合には、前記決定した転送先となるコンピュータ、または、該グローバルタイトルと共に前記格納部に格納された前記迂回先となるコンピュータに対し、該コンピュータへの迂回率に沿って第１アクセス信号を転送する信号迂回工程と、
前記第１アクセス信号を受信したコンピュータが、前記コンピュータ自身の輻輳状態が収束した場合に、前記中継局に対して、前記迂回先となるコンピュータへの第１アクセス信号の迂回の解除要求を送信する迂回解除指示工程と、
前記中継局が、前記迂回先となるコンピュータへの第１アクセス信号の迂回の解除要求を、前記第１アクセス信号を転送したコンピュータから受信した際に、前記信号迂回工程による第１アクセス信号の転送を行わず、前記信号転送先決定工程による第１アクセス信号の転送を行う迂回解除実行工程と、
を行うことを特徴とする輻輳制御方法。
【発明の詳細な説明】
【０００１】
【発明の属する技術分野】
本発明は、輻輳制御システムおよび輻輳制御方法に関し、特に、信号網接続におけるネットワークの安定動作を保証するための輻輳制御システムおよび輻輳制御方法に関する。
【０００２】
【従来の技術】
従来、輻輳制御システムおよび輻輳制御方法は、例えば、ネットワークの安定動作を保証するためのガード機能としての方法・処理手順に適用される。このネットワークのオープン化に伴い、信号網接続呼に対しての需要が増えて行くと予想される。
【０００３】
この需要増が予想される信号網接続呼に対して、ネットワークの安定動作を保証するためのガード機能が求められる。また、ネットワークのオープン化により、信号網によるキャリア間での信号アクセスが可能となり、ＩＮ（Intelligent network ／インテリジェントネットワーク）系の各種サービスをより実現しやすい環境が整った。
【０００４】
信号網接続により、ＳＣＰ（Service Control Point ／サービス制御ポイント）は、非常に多くの交換機からの要求に応える必要に迫られている。なお、このＳＣＰ（サービス制御ポイント）とは、ネットワークサービスを提供するためのＤＢＭＳ（データベース管理システム）を格納したコンピュータのことである。
【０００５】
一方で、他キャリアからのアクセスを規制する手段がなく、輻輳制御による防御手段が必要となる。現在までは、信号リンクの輻輳制御およびアプリケーションレイヤでの輻輳制御が実現されている。
【０００６】
本発明と技術分野の類似する先願発明例１として、特開平７−２１２４６３号公報の「インテリジェントネットワークにおける輻輳制御システム」がある。本先願発明例１では、個々のＳＳＰ（電子交換機）からＳＣＰ（コンピュータ）に対して送出されるメッセージ数にばらつきがあったとしても、容易にＳＣＰにおける送信メッセ−ジ数に規制を与えられる輻輳システムに関する技術を開示している。
【０００７】
先願発明例２の特開平８−７９３７２号公報（特許第３１６６１１８号）の「サービス制御ノードにおける自律輻輳制御方法」は、ＩＮにおけるＳＣＰ（サービス制御ノード）が複数のモジュールから構成され、更に、各モジュールが複数の処理部から構成され、モジュールレベル、処理レベルそれぞれで実行される処理種別が多様に存在する場合にも採用可能な、サービス制御ノードにおける自律輻輳制御方法を開示している。
【０００８】
また、先願発明例３の特開平９−３３１３９０号公報の「インテリジェント・ネットワークの呼制御方法」は、ＳＣＰが輻輳状態にあっても、また、リンク障害やＳＣＰの障害が発生しても、呼接続が可能になる技術を開示している。
【０００９】
【発明が解決しようとする課題】
しかしながら、上記の従来技術では、制御対象の交換機が多数である。このため、効果があり過ぎるなどの懸案から、アプリケーションレイヤでの輻輳制御は見送られている。
【００１０】
本発明は、ＳＣＣＰ（signalling connection control part／信号接続制御部）プロトコルの着グローバルタイトルにより規制をかけることで、アプリケーション部の輻輳を回避する、輻輳制御システムおよび輻輳制御方法を提供することを目的とする。
【００１１】
【課題を解決するための手段】
かかる目的を達成するために本発明は以下の特徴を有する。
本発明にかかる輻輳制御システムは、インテリジェントネットワークサービスに伴う呼制御処理を行う複数の交換機と、前記サービスに応じた制御を実行する複数のコンピュータと、前記交換機と前記コンピュータとから送信される信号を中継する中継局と、を有して構成される輻輳制御システムであって、交換機は、第１アクセス信号を前記中継局に送信するアクセス信号送信手段を有し、中継局は、交換機から受信した第１アクセス信号に含まれるグローバルタイトルをＳＣＣＰプロトコルで翻訳し、転送先となる前記コンピュータを決定し、該決定したコンピュータに第１アクセス信号を転送する信号転送先決定手段と、信号転送先決定手段により第１アクセス信号を転送した前記コンピュータから、該コンピュータの迂回先となるコンピュータと、前記迂回先となるコンピュータへの迂回率と、を前記第１アクセス信号に含まれるグローバルタイトルと共に受信し、該受信した前記迂回先となるコンピュータと、前記迂回先となるコンピュータへの迂回率と、を前記グローバルタイトルと共に格納する迂回情報格納手段と、交換機から受信した第１アクセス信号に含まれるグローバルタイトルをＳＣＣＰプロトコルで翻訳し、転送先となるコンピュータを決定する度に、前記翻訳したグローバルタイトルが、前記迂回情報格納手段に格納されているグローバルタイトルである場合には、前記決定した転送先となるコンピュータ、または、該グローバルタイトルと共に前記迂回情報格納手段に格納された前記迂回先となるコンピュータに対し、該コンピュータへの迂回率に沿って第１アクセス信号を転送する信号迂回手段と、信号迂回手段により転送する前記迂回先となるコンピュータへの第１アクセス信号の迂回の解除要求を、前記信号転送先決定手段により第１アクセス信号を転送した前記コンピュータから受信した際に、前記信号迂回手段による第１アクセス信号の転送を行わず、前記信号転送先決定手段による第１アクセス信号の転送を行う迂回解除実行手段と、を有し、複数のコンピュータは、中継局から第１アクセス信号を受信した際に、前記コンピュータ自身が輻輳状態である場合に、前記中継局に対して、迂回先となるコンピュータと、前記迂回先となるコンピュータへの迂回率と、を前記第１アクセス信号に含まれるグローバルタイトルと共に送信し、第１アクセス信号の迂回の要求を行う迂回指示手段と、コンピュータ自身の輻輳状態が収束した場合に、前記中継局に対して、前記迂回先となるコンピュータへの第１アクセス信号の迂回の解除要求を送信する迂回解除指示手段と、を有することを特徴とするものである。
【００１２】
また、本発明にかかる輻輳制御方法は、インテリジェントネットワークサービスに伴う呼制御処理を行う複数の交換機と、前記サービスに応じた制御を実行する複数のコンピュータと、前記交換機と前記コンピュータとから送信される信号を中継する中継局と、を用いて行う輻輳制御方法であって、交換機が第１アクセス信号を前記中継局に送信するアクセス信号送信工程と、中継局が前記交換機から受信した第１アクセス信号に含まれるグローバルタイトルをＳＣＣＰプロトコルで翻訳し、転送先となるコンピュータを決定し、該決定したコンピュータに第１アクセス信号を転送する信号転送先決定工程と、コンピュータが、前記中継局から第１アクセス信号を受信した際に、前記コンピュータ自身が輻輳状態である場合に、前記中継局に対して、迂回先となるコンピュータと、前記迂回先となるコンピュータへの迂回率と、を前記第１アクセス信号に含まれるグローバルタイトルと共に送信し、第１アクセス信号の迂回の要求を行う迂回指示工程と、中継局が、前記第１アクセス信号を転送した前記コンピュータから、迂回先となるコンピュータと、前記迂回先となるコンピュータへの迂回率と、を前記第１アクセス信号に含まれるグローバルタイトルと共に受信し、該受信した迂回先となるコンピュータと、前記迂回先となるコンピュータへの迂回率と、を前記グローバルタイトルと共に、前記中継局の具備する格納部に格納する迂回情報格納工程と、中継局が、前記交換機から受信した第１アクセス信号に含まれるグローバルタイトルをＳＣＣＰプロトコルで翻訳し、転送先となるコンピュータを決定する度に、前記翻訳したグローバルタイトルが、前記中継局の具備する格納部に格納されているグローバルタイトルである場合には、前記決定した転送先となるコンピュータ、または、該グローバルタイトルと共に前記格納部に格納された前記迂回先となるコンピュータに対し、該コンピュータへの迂回率に沿って第１アクセス信号を転送する信号迂回工程と、第１アクセス信号を受信したコンピュータが、前記コンピュータ自身の輻輳状態が収束した場合に、前記中継局に対して、前記迂回先となるコンピュータへの第１アクセス信号の迂回の解除要求を送信する迂回解除指示工程と、中継局が、前記迂回先となるコンピュータへの第１アクセス信号の迂回の解除要求を、前記第１アクセス信号を転送したコンピュータから受信した際に、前記信号迂回工程による第１アクセス信号の転送を行わず、前記信号転送先決定工程による第１アクセス信号の転送を行う迂回解除実行工程と、を行うことを特徴とするものである。
【００１５】
【発明の実施の形態】
次に、添付図面を参照して本発明による輻輳制御システムおよび輻輳制御方法の実施の形態を詳細に説明する。図１から図４は、本発明の輻輳制御システムおよび輻輳制御方法の一実施形態を示す。
【００１６】
図１は、第一アクセス信号の着グローバルタイトル内容の構成例を示している。本図１において、実施形態に適用される第一アクセス信号の着グローバルタイトルのパラメータは、アドレス識別子、信号局コード、サブシステム番号、翻訳タイプ、事業者識別コード、偶奇（偶数／奇数）表示、サービス識別情報、を有して構成される。
【００１７】
上記のアドレス識別子は、ルーティング識別子、ＧＴ識別子、ＳＳＮ表示、信号局コード表示、の各識別子を含んでいる。サービス識別情報は、サービス識別コードおよびサービス固有情報を含んでいる。また、ＧＴ識別子は、事業者識別コード、偶奇（偶数／奇数）表示、サービス識別情報、を含み構成される。
【００１８】
図２は、信号接続網の構成例を示している。本図２は、キャリアＡ社とキャリアＢ社を含む信号接続網のシステム構成例である。図２のシステムの構成部において、ＳＥＰ（Signal End Point／信号端局）は、このケースでは、サービストリガを検出する交換機となる。
【００１９】
ＧＷ−ＳＴＰ（Ｓ−ＰＯＩ）は、ゲートウェイ・信号中継局である。本ＧＷ−ＳＴＰ（Ｓ−ＰＯＩ）の記号において、ＧＷ（gateway ）は、異なるキャリア間のネットワークを相互に接続することを意味する符号、またはそのための装置あるいは符号ソフトウェアである。また、ＳＴＰ（Signal Transfer Point ）は、信号中継点であり、信号転送ポイントである。例えば、ＩＮネットワークのＳＳＰ（サービス交換ポイント）とＳＣＰ（サービス制御ポイント）の橋渡しをする交換機である。
【００２０】
図３は、本実施形態に適用されるキャリア間で転送されるＩＮＡＰ信号の流れを示し、図２のシステムにおける規制ポイントを示している。本図３に示したシステムは、ＩＮＡＰ（IN-Application Part ／ＩＮアプリケーション部）、ＴＣＡＰ（transaction capabilities application part ／トランザクション機能応用部）、ＳＣＣＰ（信号接続制御部）、ＭＴＰ（message transfer part ／メッセージ転送部）、の各部により構成される。
【００２１】
上記のＩＮＡＰ（IN-Application Part ／ＩＮアプリケーション部）は、ＩＮアプリケーションを制御するためのプロトコルである。ＴＣＡＰ（トランザクション機能応用部）は、ＣＣＳ（共通線信号方式）のレベル４またはＯＳＩ（開放型システム間相互接続）参照モデルの第４から６層の階層（ユーザ部）で、通信回線の２ノード間で回線制御に関係しない広い応用機能や汎用性の高いプロトコルを規定するものである。ＳＣＣＰ（信号接続制御部）は、ＩＳＤＮで、ＣＬＮＳ（無線接続通信サービス）を規定する制御部である。また、ＭＴＰ（メッセージ転送部）は、ＣＣＳ（共通線信号方式）のレベル１から３に相当するプロトコルの総称である。
【００２２】
図２および図３において、第一アクセス信号の着グローバルタイトルにより、グローバルタイトルの着アドレスの部分指定に規制を可能とする。具体的には、ＳＣＣＰ（信号接続制御部）グローバルタイトルの着アドレスの翻訳タイプが、図１に示す様に「1110 1000:事業者識別コード＋サービス識別情報」の場合に、グローバルタイトルとなる「サービス識別情報＋サービス固有情報」の比較により、規制判定を行う（図３の規制ポイント１参照）。
【００２３】
図３において、キャリア間のアクセスは、ＳＣＣＰプロトコルを用いて情報転送される。図２に示す受信側キャリアのＧＷ−ＳＴＰでは、着信局決定のためにＳＣＣＰプロトコルで、グローバルタイトル翻訳を行い、ＳＣＰへ信号転送を行う。ＳＣＰではＳＣＣＰプロトコルを経由しユーザ部（ＴＣＡＰ、ＩＮＡＰ）へ情報転送を行う。ＳＣＣＰプロトコル上の情報により規制を行う場合、図３の２つのポイントで規制を行う契機がある。
【００２４】
この翻訳タイプは、第一アクセス信号に適用されているため、新規呼のみの規制を行うことが可能である。これにより、ダイヤルトリガ呼については、サービス固有情報となるサービス番号毎に規制することを可能とする。加入者トリガ呼は、サービス識別コードにより規制が可能である。
【００２５】
さらにＳＣＰ（サービス制御ポイント）では、輻輳対象（棄却対象）信号を非常に多く検出した場合、迂回可能なＳＣＰ（サービス制御ポイント）があれば、自網のＧＷ−ＳＴＰに向けて、ＳＣＰ（サービス制御ポイント）迂回要求を送信し、グローバルタイトルの一部迂回を要求し、輻輳呼の分散を図る（図３の規制ポイント２参照）。
【００２６】
（実施例の動作の説明）
図４は、図３の動作の手順例を、さらに詳細に示した図である。上記図１の第一アクセス信号の着グローバルタイトル内容の構成例と、図４を用いて動作例を以下に説明する。
【００２７】
図４において、ステップ▲１▼で第一アクセス（ＧＴ＝α）が実行される。これに対応し、関門局となるＳＴＰ（GW-STP）では、グローバルタイトルを翻訳し、ＳＣＰ（サービス制御ポイント）を決定するが、決定されたＳＣＰ（サービス制御ポイント）が輻輳を検出した場合（ステップ▲３▼）、自ら規制動作を行うとともに、自網のＧＷ−ＳＴＰに向けて迂回可能なＳＣＰ（サービス制御ポイント）を指示する（ステップ▲４▼）。
【００２８】
ＧＷ−ＳＴＰでは、この指示を受け取り、迂回表に、迂回先ＳＣＰ（サービス制御ポイント）、および迂回率の登録を行う（ステップ▲５▼）。
【００２９】
以降、第一アクセス信号のグローバルタイトルαを翻訳するたびにＳＣＰ−Ｃへの迂回を迂回率に沿って実施する（ステップ▲６▼、▲７▼、▲８▼、▲９▼）。
【００３０】
なお、ＳＣＰ−Ａでは、輻輳状態が収束した場合、第一アクセス迂回解除をＧＷ−ＳＴＰに指示し通常運転に復帰する。また、上記の実施例においてＳＣＣＰ（信号接続制御部）を利用するが、本実施例で示した処理手順は通信システム全般に適応可能である。
【００３１】
上記の実施例により、下記の効果が得ることができる。
第１に、信号着局の下位レイヤでの規制を行うことで、アプリケーションレベルの輻輳を回避することができる。
第２に、ＧＷ−ＳＴＰに迂回指示を行うことで、輻輳時に救済呼が増すことができる。
第３に、ＧＷ−ＳＴＰに迂回指示を行うことで、信号リンクの負荷軽減を期待することができる。
第４に、相手キャリアの運用作業を伴わずに規制をかけることができる。
【００３２】
なお、上述の実施形態は本発明の好適な実施の一例を示す。ただし、これに限定されるものではなく、本発明の要旨を逸脱しない範囲内において種々変形実施が可能である。
【００３３】
【発明の効果】
以上の説明より明らかなように、本発明の輻輳制御システムおよび輻輳制御方法は、第一アクセス信号の着グローバルタイトルのパラメータに、アドレス識別子、信号局コード、サブシステム番号、翻訳タイプ、事業者識別コード、偶奇（偶数／奇数）表示、サービス識別情報を保持させ、第一アクセス信号の着グローバルタイトルにより、グローバルタイトルの着アドレスの部分指定に規制を行っている。よって、アプリケーション部の輻輳を回避することができる。
【図面の簡単な説明】
【図１】本発明の輻輳制御システムおよび輻輳制御方法の実施形態に適用される第一アクセス信号の着グローバルタイトル内容の構成例を示す図である。
【図２】信号接続網の構成例を示す輻輳制御システム図である。
【図３】輻輳回避のため、迂回信号の流れを示し、図２のシステムにおける動作例を示す図である。
【図４】動作の手順例を、詳細に示す図である。
【符号の説明】
１  ＧＷ−ＳＴＰ（Ｓ−ＰＯｌ）  ゲートウェイ・信号中継局・交換ポイント
２  ＩＮＡＰ（Intelligent Network-Application Part）
３  ＭＴＰ（message transfer part ）  メッセージ転送部
４  ＳＣＣＰ（signalling connection control part）  信号接続制御部
５  ＳＣＰ（Service Control Point ）  サービス制御ポイント
６  ＴＣＡＰ（transaction capabilities application part ）  トランザクション機能応用部
【図１】
0003678683.tif 000002
【図２】
0003678683.tif 000003
【図３】
0003678683.tif 000004
【図４】
0003678683.tif 000005